(57)【要約】【課題】電線を着脱するためにねじ端子に強い回転力を加えても、ケース端部に隙間を生ずることのない縦分割ケース式の配線用遮断器を提供する。【解決手段】端部にねじ端子１５、１６を備えた縦分割ケース式の配線用遮断器において、各分割ケース片１１、１２、１３を相互に固定するケース固定部１７を、ねじ端子１５、１６よりもケース１０の外側に設けることにより、ケース端部の開きを防止した。ねじ端子１５、１６とケース１０との隙間を、ケースの幅方向よりもケースの長手方向に狭くなるように設定すれば、より確実に隙間の発生を防止できる。また、左右の分割ケース片１１，１３にボスを突設させ、これらのボスの先端面を接触させて固定することが好ましい。【選択図】　　図５
2004063248.tif 000002
【特許請求の範囲】
【請求項１】
端部にねじ端子を備えた縦分割ケース式の配線用遮断器において、各分割ケース片を相互に固定するケース固定部を、ねじ端子よりも更にケースの外側に設けたことを特徴とする配線用遮断器。
【請求項２】
ねじ端子とケースとの隙間を、ケースの幅方向よりもケースの長手方向に狭くなるように設定した請求項１に記載の配線用遮断器。
【請求項３】
左右の分割ケース片にボスを突設させ、これらのボスの先端面を接触させて固定した請求項１に記載の配線用遮断器。
【発明の詳細な説明】
【０００１】
【発明の属する技術分野】
本発明は、端部にねじ端子を備えた縦分割ケース式の配線用遮断器に関するものである。
【０００２】
【従来の技術】
縦分割ケース式の配線用遮断器は、幅方向に複数枚に分割された樹脂製の分割ケース片を連結ねじによって相互に固定して中空のケースを構成し、その内部に機器や基板などを収納したものである。そして端子装置としてねじ端子を用いたものでは、当然ながら金属製のねじ端子が樹脂製の分割ケース片の端部内側に収納されている。
【０００３】
ところがこのようなねじ端子を備えた縦分割ケース式の配線用遮断器においては、ねじ端子１に電線を締め付ける際や電線を取り外す際に、図７に示すようにねじ端子１の箱形端子２に回転力が作用して左右の分割ケース片３、４に外向きに大きい荷重を加える。従来一般には、図８のように連結ねじ５の位置は内部機器との干渉を避けてケース端部よりもやや内側とされて、連結ねじ５，５の固定箇所を結ぶ一点鎖線よりも外側に、前記した荷重が加わる点であるねじ端子１と左右の分割ケース片３、４との接触部があるため、ねじ端子１に強い回転力が作用すると分割ケース片３、４が外側に押し広げられて弾性的に変形し、ケースの端部に隙間を生ずるという問題があった。このような隙間は端子部の性能低下を招くこととなるので好ましくない。
【０００４】
【発明が解決しようとする課題】
本発明は上記の問題点を解決し、電線を着脱するためにねじ端子に強い回転力が加えられても、ケース端部に隙間を生ずることのない縦分割ケース式の配線用遮断器を提供するためになされたものである。
【０００５】
【課題を解決するための手段】
上記の課題を解決するためになされた本発明の配線用遮断器は、端部にねじ端子を備えた縦分割ケース式の配線用遮断器において、各分割ケース片を相互に固定するケース固定部を、ねじ端子よりも更にケースの外側に設けたことを特徴とするものである。なお、ねじ端子とケースとの隙間を、ケースの幅方向よりもケースの長手方向に狭くなるように設定しておくことが好ましい。さらに、左右の分割ケース片にボスを突設させ、これらのボスの先端面を接触させて固定するようにしておけば、ケースの端部に限りなく近い位置にケース固定部を設置することができるので好ましい。
【０００６】
本発明の配線用遮断器は、各分割ケース片を相互に固定するケース固定部を、ねじ端子よりも更にケースの外側に設けたことにより、ねじ端子に電線を強く締め付けた場合に開こうとするケース端部を直接拘束することができ、分割ケース片の間に隙間が発生することを防止できる。また請求項２の発明のようにねじ端子とケースとの隙間をケースの幅方向よりもケースの長手方向に狭くなるように設定しておけば、ねじ端子の回転力がケースを開く方向には作用しないので好ましい。
【０００７】
【発明の実施の形態】
次に、本発明の実施の形態について図を参照しながら具体的に説明する。
図１に示すように、本実施形態の配線用遮断器のケース１０は幅方向に分割された３枚の分割ケース片１１、１２、１３を合体させて構成したもので、各分割ケース片１１、１２、１３の形状は図２に示すとおりである。
【０００８】
１５、１６はケース１０の負荷側の端部に収納されたねじ端子である。図３に示すように、ねじ端子１５、１６は中央の分割ケース片１２の両側に上下に段差を付けて収納され、ケース１０の幅方向にオーバーラップできるようになっている。ねじ端子１５、１６は金属製の箱型端子とねじ１４を組み合わせたもので、箱型端子の内部に電線を挿入し、ねじ１４を締め付けることによって電線を固定する構造のものである。
【０００９】
各分割ケース片１１、１２、１３は、ケース固定部１７に連結ねじ１８を挿通することによって相互に連結されている。具体的には、図４に示すように左右両側の分割ケース片１１、１３の端部にボス１９、１９を突設するとともに、中央の分割ケース片１２にはこれらのボス１９、１９が挿入される逃がし部２０を形成しておく。そしてボス１９、１９の先端面を接触させた状態で連結ねじ１８もしくはかしめ部材を挿通して締め付けることにより、３枚の分割ケース片１１、１２、１３を一体化している。このような構造を取ることにより、ケース１０の端部に限りなく近い位置にケース固定部１７を設置できることとなる。
【００１０】
図５に示すように、本発明ではこのケース固定部１７が上下いずれのねじ端子１５、１６よりも更にケースの外側に設けられている。詳しくは、各々のケース固定部１７，１７を結ぶ一点鎖線よりも外側に、ねじ端子１５のケース作用する力ａ，ａ´と、ねじ端子１６のケース作用する力ｂ，ｂ´がケースに作用する接触位置を設けている。このためねじ端子１５、１６に電線を固定する際あるいは電線を取り外す際に、ねじ端子１５、１６に回転力が作用し、図６に示すように両側の分割ケース片１１、１３を押し広げる方向の力が作用しても、ケース１０の端部が連結ねじ１８により直接拘束されているので、ケース１０の端部が開いて隙間を生ずることはない。
【００１１】
なお図６に示すように、ねじ端子１５、１６とケース１０との隙間を、ケース１０の幅方向の隙間よりもケース１０の長手方向の隙間の方が狭くなるように設定しておけば更に好ましい。図６ではケース１０のねじ端子収納部の長手方向内面に突起２１を設け、ねじ端子１５、１６にねじが締まる方向の回転力が作用したときにこれらの突起２１の部分でケース１０と当たるようにしてある。
【００１２】
このような構造とすれば、ねじ端子１５、１６に作用する回転力は両側の分割ケース片１１、１３を互いに長手方向の反対側に押すように作用するが、この方向は連結ねじ１８をせん断する方向であるから、両側の分割ケース片１１、１３が移動するおそれはない。またねじ端子１５、１６は両側の分割ケース片１１、１３を押し広げる方向には作用しないので、ケース１０の端部が開いて隙間を生ずることをより確実に防止することができる。
【００１３】
なおこの実施形態では、ねじ端子１５、１６のねじが締まる方向の回転力が作用したときに当接する突起１０を図６で示す分割ケース片１１の右側、分割ケース片１３の左側に設けたが、ねじが弛む方向の回転力が作用するときに分割ケース片１１の左側、分割ケース片１３の右側に突起２１を追加してもよい。
【００１４】
【発明の効果】
以上に説明したように、本発明の配線用遮断器は各分割ケース片を相互に固定するケース固定部を、ねじ端子よりも更にケースの外側に設けたものであるから、ねじ端子に電線を着脱する際に生ずるねじ端子の回転力により、分割ケース片の端部間に隙間が発生することを防止できる。また請求項２の発明のようにねじ端子とケースとの隙間をケースの幅方向よりもケースの長手方向に狭くなるように設定しておけば、ねじ端子の回転力がケースを開く方向に作用しないので、より確実に分割ケース片の端部間に隙間が発生することを防止できる。また請求項３の発明のように左右の分割ケース片にボスを突設させ、これらのボスの先端面を接触させて固定するようにしておけば、ケース端部に限りなく近い位置にケース固定部を設置することができる。この結果、本発明によれば端子部の性能低下を防止することができる。
【図面の簡単な説明】
【図１】本発明の配線用遮断器を示す（Ａ）正面図、（Ｂ）側面図である。
【図２】各分割ケース片を示す側面図である。
【図３】分割ケース片とねじ端子との関係を示す分解図である。
【図４】分割ケース片の連結構造を示す分解図と要部断面図である。
【図５】ケース固定部とねじ端子との位置関係を示す図面である。
【図６】本発明の作用を示す断面図である。
【図７】従来技術を示す断面図である。
【図８】従来技術を示す側面図である。
【符号の説明】
１　ねじ端子
２　箱形端子
３　分割ケース片
４　分割ケース片
５　連結ねじ
１０　ケース
１１　分割ケース片
１２　中央の分割ケース片
１３　分割ケース片
１４　ねじ
１５　ねじ端子
１６　ねじ端子
１７　ケース固定部
１８　連結ねじ
１９　ボス
２０　逃がし部
２１　突起
【図１】
2004063248.tif 000003
【図２】
2004063248.tif 000004
【図３】
2004063248.tif 000005
【図４】
2004063248.tif 000006
【図５】
2004063248.tif 000007
【図６】
2004063248.tif 000008
【図７】
2004063248.tif 000009
【図８】
2004063248.tif 000010